【手続補正書】
【提出日】平成18年8月14日(2006.8.14)
【手続補正１】
【補正対象書類名】明細書
【補正対象項目名】特許請求の範囲
【補正方法】変更
【補正の内容】
【特許請求の範囲】
【請求項１】  １個以上のペルフルオロアルキルポリエーテル（ＰＦＰＥ）単位と、両性イオン単位及びアニオン単位とカチオン単位との混合物からなるグループより選択される１個以上の荷電単位とを含み、
ＰＦＰＥ単位が、式
−ＯＣＨ2ＣＦ2Ｏ（ＣＦ2ＣＦ2Ｏ）x（ＣＦ2Ｏ）yＣＦ2ＣＨ2Ｏ−      （１）
（式中、ＣＦ2ＣＦ2Ｏ及びＣＦ2Ｏ単位は、連鎖中にランダムに分布していてもよいし、ブロックとして分布していてもよく、ｘ及びｙは、ペルフルオロ化ポリエーテルの分子量が２４２〜８０００、好ましくは２４２〜４０００の範囲になるよう、同じであっても異なってもよい）
の単位である、ポリマー。
【請求項２】  荷電単位が両性イオン単位である、請求項１記載のポリマー。
【請求項３】  ｘが１〜２０であり、ｙが１〜２５である、請求項１又は２記載のポリマー。
【請求項４】  荷電単位それぞれが、式
【化１】
2002524628.tif 000001
（式中、
（ｉ）三つの変数：Ｒ5、Ｒ6及びＲ7の二つが水素であり、三つ目が水素、カルボキシ、カルボキシメチル又はＣ1〜Ｃ4アルキルであるか、
（ii）Ｒ5とＲ6とが、隣接する炭素原子と一緒になって、５〜７員の脂環式又は複素環式の環を形成し、Ｒ７が水素であるか、
（iii）Ｒ5及びＲ6がそれぞれ水素であり、Ｒ7とＡとが、隣接する炭素原子と一緒になって、５〜７員の脂環式又は複素環式の環を形成するか、
（iv）Ｒ5及びＲ7がそれぞれ水素であり、Ｒ6とＡとが、隣接する炭素原子と一緒になって、５〜７員の脂環式又は複素環式の環を形成するか、
のいずれかであり、
Ａは、直接結合又はカルボニル、カーボネート、アミド、エステル、ジカルボ無水物、ジカルボイミド、尿素若しくはウレタン官能基であり、
Ｚは、アニオン基若しくはカチオン基又は１個のアニオン基及び１個のカチオン基を含む脂肪族、脂環式又は複素環式の基である）
に相当する、請求項１〜３のいずれか１項記載のポリマー。
【請求項５】  カチオン基が、一価の基：−ＮＲＲ′Ｒ″+又は二価の基：−ＮＲＲ′+−（式中、Ｒ、Ｒ′及びＲ″は、同じであっても異なってもよく、互いに独立して、水素又はＣ1〜Ｃ24アルキルである）であり、該アニオン基が、一価の基：−ＣＯＯ-、−ＳＯ3-、−ＯＳＯ3-、−ＯＰＯ3Ｈ-、−ＯＰＯ2-ＯＲ11又は二価の：−Ｏ−ＰＯ2-−Ｏ−（式中、Ｒ11は、Ｃ1〜Ｃ12アルキルである）である、請求項４記載のポリマー。
【請求項６】  荷電単位が、式
【化２】
2002524628.tif 000002
（式中、Ａは、直接結合又はカルボニル、エステル若しくはアミド官能基であり、Ｚは、−ＮＲＲ′Ｒ″+、−ＣＯＯ-、−ＳＯ3-、−ＯＳＯ3-、−ＯＰＯ2-ＯＲ11又は−ＯＰＯ3Ｈ-によって置換されている、及び／又は基：−ＮＲＲ′+−若しくは−Ｏ−ＰＯ2-−Ｏ−によって中断されているＣ2〜Ｃ12アルキルであり、Ｒ、Ｒ′及びＲ″は、互いに独立して、水素又はＣ1〜Ｃ12アルキルであり、Ｒ11は、Ｃ2〜Ｃ8アルキルであり、ただし、Ｚは、１個のアニオン基及び１個のカチオン基を含む）
の両性イオン単位である、請求項１〜５のいずれか１項記載のポリマー。
【請求項７】  −Ａ−Ｚが、式
−Ｃ（Ｏ）Ｏ−ａｌｋ−ＮＲＲ′+−ａｌｋ′−Ａｎ-              （３ａ）又は
−Ｃ（Ｏ）Ｏ−ａｌｋ−Ｏ−ＰＯ2-−Ｏ−ａｌｋ′−ＮＲＲ′Ｒ″+  （３ｂ）
（式中、Ｒ、Ｒ′及びＲ″は、同じであっても異なってもよく、互いに独立して、水素又はＣ1〜Ｃ12アルキルであり、ａｌｋ及びａｌｋ′は、同じであっても異なってもよく、互いに独立して、Ｃ1〜Ｃ12アルキレンであり、Ａｎ-は、アニオン基：−ＣＯＯ-、−ＳＯ3-、−ＯＳＯ3-、−ＯＰＯ2-ＯＲ11又は−ＯＰＯ3Ｈ-であり、Ｒ11は、Ｃ2〜Ｃ8アルキルである）
の基である、請求項６記載のポリマー。
【請求項８】  ＰＦＰＥ単位が、式
Ｑ−（ＰＦＰＥ−Ｌ）n-1−ＰＦＰＥ−Ｑ                      （４）、
Ｑ−Ｂ−（Ｌ−Ｂ）n−Ｔ                                   （５）
又は
Ｑ−ＰＦＰＥ−Ｌ−Ｍ−Ｌ−ＰＦＰＥ−Ｑ                    （６）
（式中、Ｑは、同じであっても異なってもよく、重合性の基であり、
ＰＦＰＥは、請求項１記載の式（１）の二価の残基であり、
Ｌは、二官能性連結基であり、
ｎは、少なくとも１であり、
各Ｂは、同じであっても異なってもよく、１００〜４０００の範囲の分子量の二官能性ブロックであり、少なくとも１個のＢが、請求項１記載の式（１）のペルフルオロ化ポリエーテルであり、
Ｔは、フリーラジカルによる重合性はないが、他の官能基を含んでいてもよい一価の末端基であり、
Ｍは、１８０〜６０００の範囲の分子量を有し、式
【化３】
2002524628.tif 000003
（式中、Ｒ1及びＲ1′は、同じであっても異なってもよく、水素、アルキル、アリール及びハロ置換アルキルからなるグループより選択される）
のシリコーン繰り返し単位を含む二官能性ポリマー又はコポリマーからの残基である）
のマクロモノマーから誘導される、請求項１〜７のいずれか１項記載のポリマー。
【請求項９】  ＰＦＰＥ単位が、式
Ｑ−（ＰＦＰＥ−Ｌ）n-1−ＰＦＰＥ−Ｑ                      （４）
又は
Ｑ−ＰＦＰＥ−Ｌ−Ｍ−Ｌ−ＰＦＰＥ−Ｑ                    （６）
（式中、Ｑは、同じであっても異なってもよく、重合性の基であり、
ＰＦＰＥは、請求項１記載の式（１）の二価の残基であり、
Ｌは、二官能性連結基であり、
ｎは、少なくとも１であり、
Ｍは、１８０〜６０００の範囲の分子量を有し、式
【化１５】
2002524628.tif 000004
（式中、Ｒ1及びＲ1′は、同じであっても異なってもよく、水素、アルキル、アリール及びハロ置換アルキルからなるグループより選択される）
のシリコーン繰り返し単位を含む二官能性ポリマー又はコポリマーからの残基である）
のマクロモノマーから誘導される、請求項１〜７のいずれか１項記載のポリマー。
【請求項１０】  ＰＦＰＥ単位が、ｎが２〜５の範囲であり、Ｌがジイソシアネートの二価の残基：−Ｃ（Ｏ）−ＮＨ−Ｒ3−ＮＨ−Ｃ（Ｏ）−（式中、Ｒ3は、１４個までの炭素原子を有するアルキレン、アリーレン、アルキレンアリーレン、アリーレンアルキレン若しくはアリーレンアルキレンアリーレン又は６〜１４個の炭素原子を有する二価の飽和脂環式基である）であり、Ｑが、式
Ｐ1−（Ｙ）m−（Ｒ2−Ｘ1）p−                    （８）
（式中、Ｐ1は炭素原子２〜４個のアルケニルであり、Ｙは−ＣＯＯ−であり、Ｒ2は炭素原子１〜４個のアルキレンであり、Ｘ1は−ＮＨＣＯ−であり、ｍ及びｐはそれぞれ１である）の化合物である式（４）のマクロモノマーから誘導される、請求項８又は９記載のポリマー。
【請求項１１】  該荷電単位が、式
【化４】
2002524628.tif 000005
（式中、Ｒ5、Ｒ6、Ｒ7、Ａ及びＺは、請求項４で定義した通りである）
の１種以上の異なるモノマー又はその適当な前駆体から誘導される、請求項１〜１０のいずれか１項記載のポリマー。
【請求項１２】  重合混合物中、いずれも重合性材料の合計を基準として、ＰＦＰＥマクロモノマーが９９．５〜７０重量％の量で存在し、荷電モノマーが０．５〜３０重量％の量で存在する、請求項１１記載のポリマー。
【請求項１３】  少なくとも１個のＰＦＰＥ単位を含む１種以上のマクロモノマーと、少なくとも１種の重合性荷電モノマー又はその前駆体とを共重合させ、荷電モノマー前駆体を使用したならば、共重合反応の後、前駆体単位を荷電単位に転換する工程を含む、請求項１〜１２のいずれか１項記載のポリマーの調製方法。
【請求項１４】  請求項１３記載の方法によって得ることができるポリマー。
【請求項１５】  多孔質であり、従来の条件の下で重合させるならば、水で完全に膨潤したとき、同じポリマーよりも高い水分含量を有する、請求項１〜１２のいずれか１項記載のポリマー。
【請求項１６】  水で完全に膨潤したとき、水分含量が５〜６０重量％である、請求項１５記載のポリマー。
【請求項１７】  ｉ）重合性成分及び有機溶媒を含み、重合性成分が少なくとも１種のＰＦＰＥマクロモノマー及び１種の荷電モノマーを含むものである混合物を形成する工程と、
ii）混合物を重合させ、混合物の重合の直後、有機溶媒の少なくとも実質的部分が個別の相の形態になり、個別の有機溶媒相が、混合物中に相互浸透網を形成するか、混合物中に分散する工程と、
iii）個別の有機溶媒相を除去する工程と
を含む、請求項１５又は１６記載の多孔質ポリマーの製造方法。
【請求項１８】  有機溶媒がＣ1〜Ｃ3アルカノールである、請求項１７記載の方法。
【請求項１９】  ｉ）少なくとも１種のＰＦＰＥマクロモノマー及び１種の荷電モノマーを含む重合性成分の連続相中に、場合によっては置換されているポリ（アルキレン）グリコールであるポロゲンを分散させる工程と、
ii）前記分散体を重合させる工程と、
iii）多孔質ポリマーからポロゲンを除去する工程と
を含む、請求項１５又は１６記載の多孔質ポリマーの製造方法。
【請求項２０】  ポロゲンがポリアルキレングリコールである、請求項１９記載の方法。
【請求項２１】  請求項１〜１２及び１４〜１６のいずれか１項記載のポリマーを含む成形物。
【請求項２２】  生物医学的デバイス、特に眼科用デバイスである、請求項２１記載の成形物。
【請求項２３】  眼の補てつ物、特に角膜インプラントである、請求項２１記載の成形物。
【請求項２４】  眼科用デバイス又は眼の補てつ物の製造のための、請求項１〜１２及び１４〜１６のいずれか１項記載のポリマーの使用。